(57)【要約】【課題】電子機器の表示面に貼付される保護フィルムの位置決め作業をより簡易にかつ精度良く行う。【解決手段】保護フィルムの表示面に貼付される面と反対側の面にカバーフィルムを設け、このカバーフィルムに第１の位置決め用マークを表示し、一方、表示面のサイズを取得し、この表示面のサイズに応じて、第１の位置決め用マークに対応する第２の位置決め用マークを電子機器の表示面に描画して表示し、これら第１及び第２の位置決め用マークを用いて保護フィルムの表示面上の位置決めを行った状態で、この保護フィルムを表示面上に貼付する。【選択図】図３
2015184661.tif 000002
【特許請求の範囲】
【請求項１】
表示部により表示面に画像が表示される電子機器の前記表示面に貼付される保護フィルムの貼付方法において、
前記保護フィルムの、前記表示面に貼付される面と反対側の面にカバーフィルムを設け、このカバーフィルムに第１の位置決め用マークを表示し、
前記表示面のサイズを取得し、この表示面のサイズに応じて、前記第１の位置決め用マークに対応する第２の位置決め用マークを前記電子機器の表示面に描画して表示し、
これら第１及び第２の位置決め用マークを用いて前記保護フィルムの前記表示面上の位置決めを行った状態で、この保護フィルムを前記表示面上に貼付する
ことを特徴とする保護フィルムの貼付方法。
【請求項２】
表示部により表示面に画像が表示される電子機器の前記表示面に貼付される保護フィルムの位置決めシステムであって、
前記保護フィルムの、前記表示面に貼付される面と反対側の面に設けられたカバーフィルムには第１の位置決め用マークが表示され、
前記電子機器の表示面には、この表示面のサイズに応じた、前記第１の位置決め用マークに対応する第２の位置決め用マークが描画されて表示されている
ことを特徴とする保護フィルムの位置決めシステム。
【請求項３】
前記第２の位置決め用マークは線分を備え、この線分は、前記表示面の長辺または短辺の長さの略中央に描画されていることを特徴とする請求項２記載の保護フィルムの位置決めシステム。
【請求項４】
前記第１の位置決め用マークは、前記カバーフィルムの前記保護フィルムに貼付される面と反対側の面に設けられたマーク用フィルムを所定形状に形成して構成される
ことを特徴とする請求項２または３のいずれかに記載の保護フィルムの位置決めシステム。
【請求項５】
前記マーク用フィルムは半透明の材質からなることを特徴とする請求項４記載の保護フィルムの位置決めシステム。
【請求項６】
前記第２の位置決め用マークは複数の線分を備え、
前記第１の位置決め用マークは、前記線分にその頂点が重なるように形成された複数の突部を備える
ことを特徴とする請求項２〜５のいずれかに記載の保護フィルムの位置決めシステム。
【請求項７】
前記第１の位置決め用マークは、所定の図形の一部を構成するとともに、前記第２の位置決め用マークは、前記図形の残りの部分を構成する
ことを特徴とする請求項２〜５のいずれかに記載の保護フィルムの位置決めシステム。
【請求項８】
表示部により表示面に画像が表示される電子機器の前記表示面に貼付される保護フィルムの貼付方法において、
前記保護フィルムの、前記表示面に貼付される面と反対側の面にカバーフィルムを設け、このカバーフィルムに第１の位置決め用マークを表示し、
前記第１の位置決め用マークに対応する第２の位置決め用マークが形成され、前記表示部のアスペクト比に略等しいアスペクト比を有する位置決め用画像を前記電子機器の表示面に表示し、
これら第１及び第２の位置決め用マークを用いて前記保護フィルムの前記表示面上の位置決めを行った状態で、この保護フィルムを前記表示面上に貼付する
ことを特徴とする保護フィルムの貼付方法。
【請求項９】
表示部により表示面に画像が表示される電子機器の前記表示面に貼付される保護フィルムの位置決めシステムであって、
前記保護フィルムの、前記表示面に貼付される面と反対側の面に設けられたカバーフィルムには第１の位置決め用マークが表示され、
前記電子機器の表示面には、前記第１の位置決め用マークに対応する第２の位置決め用マークが形成され、前記表示部のアスペクト比に略等しいアスペクト比を有する位置決め用画像が表示される
ことを特徴とする保護フィルムの位置決めシステム。
【請求項１０】
前記位置決め用画像は、前記表示部の解像度に略等しい解像度を有することを特徴とする請求項９記載の保護フィルムの位置決めシステム。
【請求項１１】
電子機器の画像が表示される表示面に貼付される保護フィルムと、
この保護フィルムの、前記表示面に貼付される面と反対側の面に設けられたカバーフィルムと、
前記カバーフィルムの前記保護フィルムに貼付される面と反対側の面に設けられ、第１の位置決め用マークの形状に形成されたマーク用フィルムと
を備え、
前記マーク用フィルムは半透明の材質からなる
ことを特徴とする請求項２または８のいずれかに記載の保護フィルムの位置決めシステムに用いられる保護フィルム複合体。
【請求項１２】
電子機器の画像が表示される表示面に貼付される保護フィルムの、前記表示面に貼付される面と反対側の面にカバーフィルムを配置するとともに、
前記カバーフィルムの前記保護フィルムに貼付される面と反対側の面にマーク用フィルムを配置し、
前記マーク用フィルムを第１の位置決め用マークの形状に打ち抜くとともに、前記保護フィルム及び前記カバーフィルムを所定の形状に打ち抜く
ことを特徴とする請求項２または８のいずれかに記載の保護フィルムの位置決めシステムに用いられる保護フィルム複合体の製造方法。
【発明の詳細な説明】
【技術分野】
【０００１】
本発明は、電子機器の画像が表示される表示面に貼付される保護フィルムの貼付方法、保護フィルムの位置決めシステム、保護フィルム複合体及びその製造方法に関する。
【背景技術】
【０００２】
スマートフォン、タブレット端末に代表される電子機器において、画像が表示される表示面はガラス等の透明でかつ一定の強度及び硬度を有する材質で保護されている。しかしながら、この表示面に生じる引っかき傷から表示面を保護し、さらには表示面での反射を一定の割合で抑制する等の目的で、この表示面に貼付する保護フィルムと呼ばれるフィルムが提供されている（例えば非特許文献１参照）。
【０００３】
電子機器及びその表示面は機種、型式毎に所定形状を有し、また、電子機器によっては表示面と同一面に操作ボタン、マイクやスピーカ用の切欠が設けられ、これら操作ボタン等の配置位置も機種、型式毎に異なることがあるので、上述した保護フィルムは電子機器の機種、型式に応じて所定形状に形成されていることが多い。また、保護フィルムは電子機器販売時には貼付されない状態で提供されることが多い。従って、電子機器のユーザは、電子機器使用時、あるいは保護フィルムの貼り替え時に、電子機器及びその表示面の形状に合わせて保護フィルムを位置決めした後、この保護フィルムを表示面に貼付する作業を行う。これら保護フィルム位置決めから貼付に至る作業は、電子機器及び保護フィルムの形状が個々に異なることもあり、電子機器のユーザが個別に手作業で行っていた。
【０００４】
しかしながら、電子機器及びその表示面の形状に合わせて精度良く保護フィルムを位置決めして貼付する作業には手間及び時間がかかるという問題があった。そこで、保護フィルムと電子機器の表示面とに対応するガイドマークをそれぞれ表示し、これらガイドマークが一致するように保護シートを位置決めする技術が提案されている（特許文献１参照）。
【０００５】
なお、本明細書において、「フィルム」と「シート」とは同義に用いる。
【先行技術文献】
【特許文献】
【０００６】
【特許文献１】特開２０１３−１６１３０８号公報
【非特許文献】
【０００７】
【非特許文献１】「光沢?反射防止？フィルムの基本 - スマホの学校」［平成26年3月26日検索］、インターネット<URL: http://buffalo.jp/products/pickup/supply/smapho_school/article3.html>
【発明の概要】
【発明が解決しようとする課題】
【０００８】
上述した従来の保護シートの位置決め技術では、電子機器の表示面に表示するガイドマークが表示されるガイドコンテンツはインターネット上等に格納され、保護シートの取扱説明書に記載されたＵＲＬ（Uniform Resource Locator）やＱＲコード（登録商標）にアクセスすることでガイドマークが電子機器の表示面に表示されていた。かかる構成の場合、電子機器はインターネット上のコンテンツを表示する手段としてＷｅｂブラウザを搭載していることが多いので、このＷｅｂブラウザによって上述のガイドコンテンツを閲覧し、ガイドマークを表示することが多いと考えられる。
【０００９】
しかしながら、市販されている電子機器は様々なアスペクト比（表示面の長辺と短辺との比）や解像度を有する表示面を有しているものの、一般的なＷｅｂブラウザは、コンテンツのレイアウト、画素数等を考慮し、さらに、電子機器の表示面のアスペクト比や解像度（特に短辺方向の解像度）を考慮して実際に表示するコンテンツの大きさ（元のコンテンツに対する表示倍率）を決定しているので、ガイドコンテンツが電子機器の表示面のアスペクト比や解像度を考慮して作成されていない場合、位置決めに適切な倍率でガイドマークが表示されない可能性がある。加えて、表示面にタッチパネルを備えた電子機器の場合、ユーザが不用意にタッチパネルを操作する（例えば、いわゆるピンチイン、ピンチアウト動作など）と、Ｗｅｂブラウザがこの操作を解釈してコンテンツの表示倍率を変更してしまうことがある。この場合、仮にガイドコンテンツが電子機器の表示面のアスペクト比や解像度を考慮して作成されていた場合でも、やはり位置決めに適切な倍率でガイドマークが表示されない可能性がある。
【００１０】
本発明は上述した課題に鑑みてなされたものであり、電子機器の表示面に貼付される保護フィルムの位置決め作業をより簡易にかつ精度良く行うことの可能な保護フィルムの貼付方法、保護フィルムの位置決めシステム、保護フィルム複合体及びその製造方法を提供することにある。
【課題を解決するための手段】
【００１１】
本発明は、表示部により表示面に画像が表示される電子機器の表示面に貼付される保護フィルムの貼付方法に適用される。そして、保護フィルムの、表示面に貼付される面と反対側の面にカバーフィルムを設けるとともに、このカバーフィルムに第１の位置決め用マークを表示し、また、表示面のサイズを取得し、この表示面のサイズに応じて、第１の位置決め用マークに対応する第２の位置決め用マークを電子機器の表示面に描画して表示し、これら第１及び第２の位置決め用マークを用いて保護フィルムの表示面上の位置決めを行った状態で、この保護フィルムを表示面上に貼付することにより、上述した課題の少なくとも一つを解決している。
【００１２】
電子機器の表示面のサイズに応じて、第１の位置決め用マークに対応する第２の位置決め用マークを描画して形成し、第２の位置決め用マークと第１の位置決め用マークとを用いて保護フィルムの位置決めを行っているので、表示部が第２の位置決め用マークを表示面に表示した際に、この第２の位置決め用マークを所望の大きさに表示する可能性が高くなる。
【００１３】
また、本発明は、表示部により表示面に画像が表示される電子機器の表示面に貼付される保護フィルムの位置決めシステムに適用される。そして、保護フィルムの、表示面に貼付される面と反対側の面に設けられたカバーフィルムに第１の位置決め用マークを表示し、電子機器の表示面に、この表示面のサイズに応じた、第１の位置決め用マークに対応する第２の位置決め用マークを描画して表示することにより、上述した課題の少なくとも一つを解決している。
【００１４】
ここで、第２の位置決め用マークに線分を設け、この線分を、表示面の長辺または短辺の長さの略中央に描画することが好ましい。また、第１の位置決め用マークを、カバーフィルムの保護フィルムに貼付される面と反対側の面に設けたマーク用フィルムを所定形状に形成して構成することが好ましい。さらに、マーク用フィルムを半透明の材質から構成することが好ましい。
【００１５】
さらに、第２の位置決め用マークに複数の線分を設け、第１の位置決め用マークに、線分にその頂点が重なるように形成された複数の突部を設けることが好ましい。あるいは、第１の位置決め用マークが所定の図形の一部を構成するとともに、第２の位置決め用マークがこの図形の残りの部分を構成することが好ましい。
【００１６】
また、本発明は、表示部により表示面に画像が表示される電子機器の表示面に貼付される保護フィルムの貼付方法に適用される。そして、保護フィルムの、表示面に貼付される面と反対側の面にカバーフィルムを設けるとともに、このカバーフィルムに第１の位置決め用マークを表示し、また、第１の位置決め用マークに対応する第２の位置決め用マークが形成され、表示部のアスペクト比に略等しいアスペクト比を有する位置決め用画像を電子機器の表示面に表示し、これら第１及び第２の位置決め用マークを用いて保護フィルムの表示面上の位置決めを行った状態で、この保護フィルムを表示面上に貼付することにより、上述した課題の少なくとも一つを解決している。
【００１７】
また、本発明は、表示部により表示面に画像が表示される電子機器の表示面に貼付される保護フィルムの位置決めシステムに適用される。そして、保護フィルムの、表示面に貼付される面と反対側の面に設けられたカバーフィルムに第１の位置決め用マークを表示し、また、電子機器の表示面に、第１の位置決め用マークに対応する第２の位置決め用マークが形成され、表示部のアスペクト比に略等しいアスペクト比を有する位置決め用画像を表示することにより、上述した課題の少なくとも一つを解決している。
【００１８】
ここで、位置決め用画像の解像度を、表示部の解像度に略等しい解像度にすることが好ましい。
【００１９】
また、本発明の保護フィルム複合体は、電子機器の画像が表示される表示面に貼付される保護フィルムと、この保護フィルムの、表示面に貼付される面と反対側の面に設けられたカバーフィルムと、カバーフィルムの保護フィルムに貼付される面と反対側の面に設けられ、第１の位置決め用マークの形状に形成されたマーク用フィルムとを備え、マーク用フィルムを半透明の材質からなるものとすることで、上述した課題の少なくとも一つを解決している。
【００２０】
さらに、本発明の保護フィルム複合体の製造方法は、電子機器の画像が表示される表示面に貼付される保護フィルムの、表示面に貼付される面と反対側の面にカバーフィルムを配置するとともに、カバーフィルムの保護フィルムに貼付される面と反対側の面にマーク用フィルムを配置し、マーク用フィルムを第１の位置決め用マークの形状に打ち抜くとともに、保護フィルム及びカバーフィルムを所定の形状に打ち抜くことにより、上述した課題の少なくとも一つを解決している。
【発明の効果】
【００２１】
本発明によれば、電子機器の表示面のサイズに応じて第１の位置決め用マークに対応する第２の位置決め用マークを描画して形成し、第２の位置決め用マークと第１の位置決め用マークとを用いて保護フィルムの位置決めを行っているので、表示部が第２の位置決め用マークを表示面に表示した際に、この第２の位置決め用マークを所望の大きさに表示する可能性が高くなる。これにより、電子機器の表示面に貼付される保護フィルムの位置決め作業をより簡易にかつ精度良く行うことの可能な保護フィルムの貼付方法、保護フィルムの位置決めシステム、保護フィルム複合体及びその製造方法を実現することができる。
【図面の簡単な説明】
【００２２】
【図１】本発明の第１実施形態である保護フィルムの貼付方法を説明するための斜視図である。
【図２】第１実施形態の保護フィルムの貼付方法に適用される保護フィルム複合体を示す側面図である。
【図３】第１実施形態の保護フィルムの貼付方法の一例を説明するための平面図である。
【図４】第１実施形態の保護フィルムの貼付方法の他の例を説明するための平面図である。
【図５】第１実施形態の保護フィルムの貼付方法のまた他の例を説明するための側面図である。
【図６】第１実施形態の保護フィルム複合体の製造方法の一例を説明するための図である。
【図７】第１実施形態の保護フィルムの貼付方法が適用される位置決めシステムの一例の概略構成を示すブロック図である。
【図８】第１実施形態の保護フィルムが貼付される電子機器の一例の概略構成を示すブロック図である。
【図９】第１実施形態の保護フィルムの貼付方法における線分の描画手順の一例を示すフローチャートである。
【図１０】本発明である保護フィルムの貼付方法の変形例の一例を説明するための平面図である。
【図１１】本発明である保護フィルムの貼付方法の変形例の他の例を説明するための平面図である。
【発明を実施するための形態】
【００２３】
以下、図面を参照して、本発明の保護フィルムの貼付方法の実施形態について説明する。なお、図面内に記載されている保護フィルム、接着層等の厚みは、説明の便宜上誇張して記載されており、実際の寸法を反映した縮尺ではない。また、図面内において単層で表示されているフィルム等は、実際には複数のフィルム等が重畳されて構成されることがある。すなわち、図面内の表示は機能的なものである。
【００２４】
（第１実施形態）
図１は、本発明の第１実施形態である保護フィルムの貼付方法を説明するための斜視図である。図１において、１は保護フィルムが貼付される電子機器である。この電子機器１は、スマートフォン、タブレット端末に代表されるものであり、外形視板状の本体１ａの一面（図１において上面）に、表示画面が表示される表示部（図１において図示略）を備える。この表示部は、電子機器１から露出する略矩形状の表示面１ｂを備える。この表示面１ｂはガラス、硬質プラスチック等からなる透明の材質で構成されている。また、電子機器１は、この表示面１ｂをユーザが手指等でタッチした場合に、この表示面１ｂ上のタッチ位置を検出するタッチパネル（図１において図示略）を備えている。
【００２５】
電子機器１の表示面１ｂには、この表示面１ｂを保護するための保護フィルム２が貼付される。この保護フィルム２には、図２に詳細を示すように、表示面１ｂに貼付される側（図１及び図２において下側）に、表示面１ｂに保護フィルム２を貼付するための第１の接着層６が設けられるとともに、この第１の接着層６を保護するための剥離フィルム３が設けられている。なお、以下の実施形態において、表示面１ｂが設けられている側を電子機器１の上側として説明し、保護フィルム２等における上下は、表示面１ｂに近い側を下側として統一して説明を行う。
【００２６】
また、保護フィルム２の表示面１ｂに貼付される側と反対側（図１及び図２において上側）に、保護フィルム２のユーザがタッチする面であるこの反対側の面を保護するためのカバーフィルム４が設けられる。カバーフィルム４には、このカバーフィルム４を保護フィルム２に固定するための第２の接着層７が設けられている。
【００２７】
そして、カバーフィルム４には、保護フィルム２に固定される側と反対側（図１及び図２において上側）に、保護フィルム２を電子機器１の表示面１ｂに貼付する際の位置決めに用いられるマーク用フィルム５が設けられている。このマーク用フィルム５には、このマーク用フィルム５をカバーフィルム４に固定するための第３の接着層８が設けられている。
【００２８】
保護フィルム２、剥離フィルム３及びカバーフィルム４は、図１に示すように、電子機器１の表示面１ｂに対応した外形が略矩形状に形成されている。より詳細には、保護フィルム２、剥離フィルム３及びカバーフィルム４は、表示面１ｂの外縁と等しいかやや小さい形状に形成され、あるいは、電子機器１の表示面１ｂ側の面（図１において上面）が表示面１ｂと一体化された平坦面に形成されている場合は、この面の外縁と等しいかやや小さい形状に形成されている。なお、図１では、電子機器１に設けられることがある操作ボタンやマイク、スピーカ用の切欠の図示を省略しているが、これら操作ボタン等が電子機器１に設けられる場合、保護フィルム２、剥離フィルム３及びカバーフィルム４にもこれら操作ボタン等に対応する位置に切欠が設けられることがある。
【００２９】
一方、マーク用フィルム５は、図１に示すように、一定の線幅を有する線分が中央で交差した、いわゆる十字形に形成され、その端部が、先端が尖った三角形状の突部５ａ（図３参照）に形成されている。マーク用フィルム５は、後述する保護フィルム２の表示面１ｂへの貼付作業時に、この保護フィルム２の位置決めに用いられる第１の位置決め用マークとして作用する。このマーク用フィルム５は半透明の材質から構成されている。マーク用フィルム５の形状及びカバーフィルム４上の固定位置の詳細については後述する。
【００３０】
保護フィルム２、剥離フィルム３、カバーフィルム４及びマーク用フィルム５、さらには第１〜第３の接着層６〜８は、既存の保護フィルム等として用いられている周知のフィルム、接着層が好適に適用可能である。一例として、保護フィルム２は厚み１２５μｍのＰＥＴ（ポリエチレンテレフタレート）からなり、剥離フィルム３は厚さ５０〜７５μｍのＰＥＴからなり、カバーフィルム４も厚さ５０〜７５μｍのＰＥＴからなり、さらに、マーク用フィルム５は厚さ６５〜７５μｍのポリエチレンからなる。
【００３１】
ここで、保護フィルム２には、表示面１ｂに貼付された状態で、指紋付着防止、ユーザの指のすべりを良くする、表示面１ｂに表示された画像の見栄えを良くする等の目的で、加工が適宜施されてもよい。
【００３２】
剥離フィルム３は、後述するように、保護フィルム２を電子機器１の表示面１ｂに貼付する際にこの保護フィルム２から剥がされるので、この剥離フィルム３には、保護フィルム２から剥がされる際に保護フィルム２が帯電することを防止するための加工が施されてもよい。同様に、保護フィルム２から剥離フィルム３を剥がす際の剥離性を高めるための加工が剥離フィルム３に施されてもよい。
【００３３】
また、第１の接着層６は厚さ５０μｍとされ、第２の接着層７は７μｍ、第３の接着層８も７μｍとされる。第１の接着層６は、保護フィルム２が表示面１ｂに貼付された後に、気泡や埃を除去する等の目的で少なくとも保護フィルム２の一部が剥がされ、さらに再度保護フィルム２が表示面１ｂに貼付されることを考慮して、再剥離性・粘着性が良好となる材質が選定され、あるいは所定の加工が施されてもよい。また、後述のように、マーク用フィルム５は保護フィルム２の位置決め用に用いられるのみであり、最終的にはカバーフィルム４とともに保護フィルム２から剥がされてしまうので、ポリエチレンの粘着性を利用して、第３の接着層８を省略してもよい。
【００３４】
そして、これら保護フィルム２、剥離フィルム３、カバーフィルム４及びマーク用フィルム５は、ユーザに提供される際に、図２に示すように第１〜第３の接着層６〜８により互いに固定された状態で提供される。以下、図２に示すように互いに固定された状態の保護フィルム２、剥離フィルム３、カバーフィルム４及びマーク用フィルム５、さらには第１〜第３の接着層６〜８を、保護フィルム複合体Ａと称する。
【００３５】
このような保護フィルム複合体Ａの製造方法の概略を、図６を参照して説明する。
【００３６】
保護フィルム２、剥離フィルム３、カバーフィルム４及びマーク用フィルム５を構成するフィルムＦ１〜Ｆ４の所定面に接着剤が塗布されることで第１〜第３の接着層６〜８が形成され、次いで、保護フィルム２と剥離フィルム３とを構成するフィルムＦ１、Ｆ２が第１の接着層６により一体化された状態で巻回されたロール体、及び、カバーフィルム４を構成するフィルムＦ３に第２の接着層７が形成された状態で巻回されたロール体とマーク用フィルム５を構成するフィルムＦ４に第３の接着層８が形成された状態で巻回されたロール体とがカッターに供給される。
【００３７】
これらロール体から供給されるフィルムＦ１〜Ｆ４は、カッターの直前またはカッター内において保護フィルム複合体Ａを形成する順に重ね合わされた後、カッター等により所望の形状に打ち抜かれて保護フィルム複合体Ａが製造される。
【００３８】
この際、マーク用フィルム５となるフィルムＦ４は、このフィルムＦ４を打ち抜くが、その下に位置するカバーフィルム４となるフィルムＦ３は打ち抜かない、好ましくはカッターの刃先がフィルムＦ３の表面に接触する程度の長さに調整されたカッターにより打ち抜かれ、所定形状に打ち抜かれる。このような切断技術は、いわゆるハーフカット技術として公知であるので、ここではこれ以上の詳細な説明を省略する。このハーフカット技術を実現するために、上述したようにカッターの刃先長さの調整が行われるとともに、カバーフィルム４の厚さが、カッターの刃によりマーク用フィルム５が打ち抜かれてもこの刃がカバーフィルム４まで打ち抜かないように、保護フィルム２を保護するための目的のフィルムよりも厚みがあるフィルムがカバーフィルム４として選定されている。
【００３９】
これにより、マーク用フィルム５と保護フィルム２、剥離フィルム３及びカバーフィルム４との間の位置決めを正確に保ちつつ、製造工程の簡略化を図れる保護フィルム複合体Ａの製造方法を実現することができる。すなわち、例えばマーク用フィルム５を別工程で打ち抜き、これを、保護フィルム２、剥離フィルム３及びカバーフィルム４が一体化したものに位置決めして貼付することで本実施形態の保護フィルム複合体Ａを製造する場合、マーク用フィルム５の位置決めに時間がかかるとともに、位置決めの精度を高めるための手間が必要となる。本実施形態の製造方法によれば、マーク用フィルム５の位置決め精度を高めつつ、製造工程の簡略化、ひいては高速化を図ることができる。
【００４０】
ここで、本実施形態では、マーク用フィルム５の端部が、先端が尖った三角形状の突部５ａ （図３参照）に形成されているので、上述したハーフカット工程の後にカットされたマーク用フィルム５以外のフィルムＦ４を保護フィルム複合体Ａから剥がす際に、鋭角部分からフィルムＦ４を剥がすことになるので、保護フィルム複合体Ａに残すべきマーク用フィルム５が誤ってカバーフィルム４から剥がされてしまう事態を防止することができる。
【００４１】
このような保護フィルム複合体Ａを用いて保護フィルム２を電子機器１の表示面１ｂに貼付するには、まず、図３（ａ）に示すように、電子機器１の表示面１ｂに、マーク用フィルム５の形状に対応する第２の位置決め用マーク１０を表示させる。
【００４２】
第２の位置決め用マーク１０は、図３（ａ）に示すように、電子機器１の表示面１ｂの長辺方向及び短辺方向にそれぞれ延びる線分１０ａが交差してなる、いわゆる十字状に形成されている。より詳細には、第２の位置決め用マーク１０を構成する線分１０ａは、電子機器１の表示面１ｂの画面サイズを取得し、この取得した画面サイズに応じて、電子機器１の表示面１ｂに描画して形成されている。好ましくは、電子機器１の表示面１ｂが図１等に示すように矩形状である場合、この表示面１ｂの長辺及び短辺の長さを取得し、表示面１ｂのこれら長辺及び短辺の略中央、より好ましくは中央に線分１０ａが描画されることで第２の位置決め用マーク１０が形成されている。
【００４３】
電子機器１の表示面１ｂの画面サイズを取得する手法は周知のものから適宜選択されればよいが、一例として、表示面１ｂの解像度（表示面１ｂの長辺×短辺の画素数）及びｄｐｉ（dot per inch）等で表される画素密度を取得し、これら解像度及び画素密度から表示面１ｂの長辺及び短辺の長さを算出する手法が挙げられる。これら解像度及び画素密度は、電子機器１のＯＳ（Operating System）がＡｎｄｒｏｉｄ（登録商標）である場合、DisplayMetricsオブジェクトのフィールドとして取得可能である。また、電子機器１のＯＳがｉＯＳである場合、ｐｐｉ（point per inch）とデバイス・ピクセル比（dpi:device pixel ratio）により電子機器１の表示面１ｂの画面サイズを取得することができる。
【００４４】
あるいは、電子機器１のＯＳがｉＯＳである場合、標準となる表示面１ｂの画面サイズがポイントにより定義されているので、表示面１ｂのこれら長辺及び短辺の略中央、より好ましくは中央に対応するポイントの位置に線分１０ａが描画されて形成される。また、電子機器１のＯＳ（Operating System）がＡｎｄｒｏｉｄ（登録商標）である場合、画素密度に依存しないピクセル（DIP:Density-independent Pixels）値を用いて、表示面１ｂのこれら長辺及び短辺の略中央、より好ましくは中央に対応するポイントの位置に線分１０ａが描画されて形成されうる。
【００４５】
第２の位置決め用マーク１０及びこれを構成する線分１０ａは、保護フィルム２の表示面１ｂへの位置決め精度を高める観点、及び、ユーザの視認度を高める観点から、最小で０．１ｍｍ程度、最大で数ｍｍ程度の太さに形成されることが好ましい。この第２の位置決め用マーク１０及びこれを構成する線分１０ａは、電子機器１の表示面１ｂ上でのピクセル（画素）数に換算すると、１ドット以上の奇数個のピクセルであればよい。奇数個のピクセルであると、中央のピクセルを表示面１ｂの中央に位置させることができ、位置決め精度の向上にさらに寄与することができる。
【００４６】
このような電子機器１の表示面１ｂの画面サイズ取得動作及び第２の位置決め用マーク１０の描画動作は、好ましくは、電子機器１が備える記憶部に格納されたアプリケーションソフト１１等により行われる。このようなアプリケーションソフト１１等は、一例として、図７に示すように、インターネット１２上に設置された外部サーバ１３内に格納され、電子機器１の表示面１ｂに保護フィルム２を貼付するに先立って、電子機器１がこの外部サーバ１３にアクセスし、電子機器１が移動体通信機能を有する場合は移動体通信網１４を経由して、また、電子機器１が無線ＬＡＮ（Local Area Network）機能を有する場合はルータ１５及びアクセスポイント（ＡＰ）１６を経由して、電子機器１の図略の記憶部に予め格納される。
【００４７】
電子機器１が外部サーバ１３にアクセスする手法も周知手法が適宜採用可能であるが、一例として、外部サーバ１３における位置決め用画像データの格納場所にアクセスするための情報であるＵＲＬ（Uniform Resource Locator）を示す文字列を、保護フィルム複合体Ａを格納するパッケージに表示し、あるいは、保護フィルム２の貼付方法を説明するための取扱説明書に表示し、ユーザがＷｅｂブラウザ等を起動してこの文字列を入力することでアクセスする手法が挙げられる。あるいは、上述したパッケージや取扱説明書に、ＵＲＬを示す文字列の情報が格納されたＱＲコード（登録商標）等のバーコードを表示し、このバーコードを電子機器１のカメラで撮像してアプリケーションソフト等が読み取ることでアクセスする手法も挙げられる。このＱＲコード等のバーコードはマーク用フィルム５に一体化してもよい。バーコードをマーク用フィルム５に一体化すると、上述した製造工程においてマーク用フィルム５とバーコードを同時に形成することができて、これらマーク用フィルム５とバーコードとの対応を確実に行うことができ、また、製造ラインにおいてこのバーコードを読み取ってマーク用フィルム５との対応を容易に確認することができ、また、保護フィルム複合体Ａのパッケージを簡略化することができ、さらに、ユーザも簡易に情報入手をすることができる。さらには、上述した情報が格納されたＮＦＣ（Near Field Communication）タグ等のＩＣタグを保護フィルム複合体Ａに同梱し、このＩＣタグを電子機器１のアプリケーションソフト等が読み取ることでアクセスしてもよい。
【００４８】
また、アプリケーションソフト１１等を電子機器１の記憶部内に格納する手法は、上述した、アプリケーションソフト１１等が格納された外部サーバ１３から取得する手法に限定されず、他の周知手法が好適に適用可能である。一例として、アプリケーションソフト１１等が格納されたメモリーカード、ＨＤＤ（Hard Disk Drive）等の外部記憶装置を電子機器１に接続し、この外部記憶装置からアプリケーションソフト１１等を取得してもよい。
【００４９】
そして、保護フィルム２の貼付作業の際に、電子機器１の表示面１ｂに第２の位置決め用マーク１０を表示させる。第２の位置決め用マーク１０の表示方法は周知手法が適宜採用可能であるが、好ましくは、保護フィルム２を貼付する際にユーザが電子機器１の表示面１ｂを（間接的にでも）タッチすることでタッチパネルがタッチ位置を検出しても、第２の位置決め用マーク１０が表示面１ｂで移動、拡大、縮小表示等されない手法が採用される。
【００５０】
タッチ動作を検出しても、第２の位置決め用マーク１０が表示面１ｂで移動、拡大、縮小表示等されない手法の一例として、上述のアプリケーションソフト１１等において、第２の位置決め用マーク１０描画、表示時にユーザのタッチ動作（タッチイベント）を一時的に無効化する命令を実行化する手法が挙げられる。この際、表示面１ｂの全ての領域におけるタッチ動作を無効化する必要はなく、少なくともマーク用フィルム５が重畳される範囲におけるタッチ動作を無効化すれば足りる。一例として、上述した第２の位置決め用マーク１０に加えて、タッチ動作無効領域を示す矩形状の画像を表示し、この画像内におけるタッチ動作を無効化するような手法が挙げられる。あるいは、少なくとも第２の位置決め用マーク１０が表示された領域をタッチ動作無効領域にすればよい。このように、全ての領域についてタッチ動作を無効化しないことにより、保護フィルム２の貼付動作時に電子機器１に外部からの着信があったときなど、緊急にタッチ動作を行って電子機器１の操作を行う必要がある場合でも、このような操作を有効にしつつも、第２の位置決め用マーク１０を表示面１ｂで移動、拡大、縮小表示等させないことができる。
【００５１】
あるいは、マーク用フィルム５の構成を調整することで、マーク用フィルム５の下方に相当するタッチパネルの領域にタッチ動作がされた場合でも、タッチパネルがこの領域のタッチ動作を検出しないことが可能である。一例として、タッチパネルがいわゆる静電容量式のものである場合、タッチ動作に伴う静電容量の変化をタッチパネルが検出できない程度にマーク用フィルム５の厚さを大きくする、マーク用フィルム５の上面に界面活性剤、導電性樹脂、金属粉等のコーティングをすることでマーク用フィルム５に帯電防止加工をする、あるいはマーク用フィルム５を構成する材質に帯電防止機能を有するものを採用する等の構成が挙げられる。また、タッチパネルがいわゆる抵抗膜式のものである場合、タッチ動作によりマーク用フィルム５に作用する圧力を分散してタッチパネルがこの圧力変化を検出できない程度にマーク用フィルム５の厚さを大きくする構成が挙げられる。
【００５２】
次いで、保護フィルム複合体Ａを電子機器１の表示面１ｂの上方に配置してから、ユーザがこの保護フィルム複合体Ａから剥離フィルム３を剥がして、保護フィルム２を表示面１ｂに貼付できる状態にする。そして、図３（ｂ）に示すように、マーク用フィルム５の突部５ａ先端と第２の位置決め用マーク１０を構成する線分１０ａとが重複するように、保護フィルム２と表示面１ｂとの相対位置を調整した状態で、第１の接着層６により保護フィルム２を表示面１ｂに接着、貼付する。従って、マーク用フィルム５のカバーフィルム４上での固定位置は、表示面１ｂに第２の位置決め用マーク１０が表示された状態で、この第２の位置決め用マーク１０を構成する線分１０ａとマーク用フィルム５の突部５ａ先端が重複する位置にされている。
【００５３】
そして、保護フィルム２を表示面１ｂに貼付した後、ユーザがカバーフィルム４を保護フィルム２から剥がせば、このカバーフィルム４とともにマーク用フィルム５が取り除かれ、これにより、表示面１ｂとの位置決めを正確に行った状態で保護フィルム２を表示面１ｂに貼付することができる。
【００５４】
図３（ｂ）に示すように、マーク用フィルム５の突部５ａ先端と第２の位置決め用マーク１０の線分１０ａとが重複するように保護フィルム２と表示面１ｂとの位置決めを行うことで、正確な位置決めが行える利点としては、マーク用フィルム５の突部５ａは三角形状に先端が尖った形状に形成されており、また、第２の位置決め用マーク１０を構成する線分１０ａも、上述したように０．１ｍｍ〜数ｍｍ程度と細く形成されているので、これらを重複するように位置決めすることで精密な位置決めが可能になる。一方、マーク用フィルム５全体は一定の線幅を有する十字形に形成されているので、マーク用フィルム５全体を細幅に形成するよりもその成型の手間、及びマーク用フィルム５のカバーフィルム４への位置決めの手間を簡略化することができる。
【００５５】
また、本実施形態では、マーク用フィルム５が半透明の材質から構成されているので、図３（ｂ）に示すように、電子機器１の表示面１ｂに第２の位置決め用マーク１０を表示した状態で保護フィルム複合体Ａをこの表示面１ｂの上方に配置した状態で、マーク用フィルム５を透かして第２の位置決め用マーク１０を視認することができる。通常、保護フィルム２、剥離フィルム３及びカバーフィルム４は透明な材質から構成されるので、マーク用フィルム５を半透明の材質から構成すれば、ユーザはマーク用フィルム５の存在を明確に視認しつつ、第２の位置決め用マーク１０も同時に視認することができる。これにより、保護フィルム２と表示面１ｂとの位置決め精度をより高めることができるとともに、位置決めの手間をより簡略化することができる。
【００５６】
ここで、保護フィルム２と電子機器１の表示面１ｂとの間に（正確には第１の接着層６と表示面１ｂとの間に）気泡が生じると、表示面１ｂの視認性を低下させ、また、見栄えが低下する可能性があるので、保護フィルム２を表示面１ｂに貼付する際には、これら保護フィルム２と表示面１ｂとの間にできるだけ気泡を生じさせないことが好ましい。気泡を生じさせない手法の一例として、保護フィルム２の全面を同時に表示面１ｂに接触させるのではなく、保護フィルム２の一部をまず表示面１ｂに接触させ、その後、保護フィルム２の接触面積を広くすることで、保護フィルム２と表示面１ｂとの間に気泡が生じた場合でもこの気泡を辺縁に追い出す手法が挙げられる。
【００５７】
さらに、本実施形態の場合、図３（ｂ）に示すように、電子機器１の表示面１ｂの中央部に第２の位置決め用マーク１０を構成する線分１０ａが表示されているので、図５に示すように、ユーザが保護フィルム複合体Ａの両方の長辺を保持してその中央部を電子機器１の表示面１ｂに向けて反らし、この状態で保護フィルム２と表示面１ｂとの位置決めをマーク用フィルム５及び第２の位置決め用マーク１０とを用いて行う。そして、第２の位置決め用マーク１０の線分１０ａとマーク用フィルム５の突部５ａ先端とを重複させたままマーク用フィルム５に相当する部分の保護フィルム２を表示面１ｂに接触させれば、保護フィルム２の中央部分をまず表示面１ｂに接触させることができ、気泡をより生じさせずに保護フィルム２を貼付することが可能になる。
【００５８】
ここで、本実施形態の保護フィルムの貼付方法が適用される電子機器１の構成には特段の限定はないが、その一例を図８を参照して説明する。
【００５９】
図８は、第１実施形態の保護フィルムの貼付方法が適用される電子機器１の概略構成を示すブロック図である。図８において、電子機器１は、ＣＰＵ（Central Processing Unit）２０、ＲＯＭ（Read Only Memory）２１、ＲＡＭ（Random Access Memory）２２、表示部２３、内部ストレージ部２４、移動体通信部２５、入力部２６及び無線ＬＡＮインタフェース２７を備え、ＣＰＵ２０、ＲＯＭ２１、ＲＡＭ２２、表示部２３、内部ストレージ部２４、移動体通信部２５、入力部２６、及び無線ＬＡＮインタフェース２７はそれぞれ共通のバスにより接続されている。
【００６０】
ＣＰＵ２０は、ＲＯＭ２１内に格納されたファームウェア等のプログラムがＲＡＭ２２において展開された後で実行されることで、電子機器１全体の動作制御を行う。ＲＯＭ２１には、上述のファームウェア等のプログラムや、各種設定データが格納されている。ＲＡＭ２２は、電子機器１のワークメモリとして動作し、各種プログラム及びデータが一時的に格納される。
【００６１】
表示部２３は、液晶パネルとこの液晶パネルを駆動させる液晶ドライバ（いずれも図略）とを備える。液晶パネルは、その表示面１ｂが電子機器１の表面に露出して設けられている。液晶ドライバは、表示画面を構成するデータがＣＰＵ２０からこの液晶ドライバに供給されると、液晶パネルの表示面１ｂに所望の表示画面を表示するようにこの液晶パネルを駆動する。
【００６２】
内部ストレージ部２４は本実施形態の電子機器１の記憶部として動作し、内部ストレージと内部ストレージインタフェース（いずれも図示略）とを備える。内部ストレージは、例えばフラッシュメモリのような不揮発性半導体メモリであり、電子機器１において用いられるアプリケーションプログラム等、特に上述した、電子機器１の表示面１ｂの画面サイズを取得して第２の位置決め用マーク１０を描画して形成するアプリケーションソフト１１が格納される。内部ストレージインタフェースは、この内部ストレージに対するデータの読み出し／書き込み指令があった場合に、内部ストレージ全体の制御を行うとともに、データの読み出し／書き込み制御を行い、読み出されたデータを出力する。なお、内部ストレージは、例えばｍｉｃｒｏＳＤのような挿脱可能な不揮発性メモリーカードであってもよく、この場合、内部ストレージインタフェースは、このメモリーカードが装着されるメモリカードスロットをさらに備える。
【００６３】
アプリケーションソフト１１は、ＣＰＵ２０で実行されることにより、このＣＰＵ２０を、表示部２３の表示面１ｂの画面サイズを取得する画面サイズ取得部と、この画面サイズ取得部が取得した表示面１ｂの画面サイズに応じて、表示面１ｂに第２の位置決め用マーク１０を描画して形成するマーク描画部として機能させる。
【００６４】
移動体通信部２５は、例えばＩＭＴ（International Mobile Telecommunication）−２０００規格に準拠して、移動体通信網１４との間で移動体無線通信を行う。なお、この移動体通信部２５が対応する規格には、３Ｇ／ＨＳＤＰＡ（3rd Generation/High-Speed Downlink Packet Access）、ＬＴＥ（Long Term Evolution）、ＷｉＭＡＸ（Worldwide Interoperability for Microwave Access）の少なくとも一つが含まれうる。
【００６５】
入力部２６は、入力インタフェースとタッチパネルとを備える。タッチパネルは、本実施形態では液晶パネルの表示面１ｂに重畳されて設けられ、この液晶パネルの表示面１ｂと略同一の大きさを有する。ユーザによりタッチパネルの表面がタッチされ、すなわち、タッチパネルの表面上の特定位置がユーザにより触れられたら、タッチパネルの表面上の特定位置が２次元の座標位置として検出され、この座標位置は入力インタフェースを介して出力される。
【００６６】
無線ＬＡＮインタフェース２７は、例えばＩＥＥＥ（The Institute of Electrical and Electronics Engineers, Inc.）８０２．１１規格に準拠して、他の無線ＬＡＮ装置と無線通信を行う。この無線ＬＡＮインタフェース２７は、電子機器１を無線ＬＡＮステーションとして動作させ、インフラストラクチャーモードで他の無線ＬＡＮ装置との間の無線通信を行う。他の無線ＬＡＮ装置としては、例えばアクセスポイント１６が挙げられる。
【００６７】
次に、図９のフローチャートを参照して、本実施形態による第２の位置決め用マーク１０の描画手順について説明する。
【００６８】
図９に示すフローチャートは、アプリケーションソフト１１の起動とともに開始する。まず、ステップＳ１では、画面サイズ取得部が、電子機器１の表示部２３の表示面１ｂの解像度や画素密度といった表示面１ｂの情報を取得する。情報取得の具体的手法については既に説明したので、ここでは詳細な説明を省略する。次いで、ステップＳ２では、マーク描画部が、第２の位置決め用マーク１０を構成する線分１０ａの幅を算出する。ここでは、線分１０ａの幅は１ピクセルとする。
【００６９】
次いで、ステップＳ３では、ステップＳ２で算出した線分１０ａの幅がユーザに視認可能であるか否かが判定され、ユーザに視認可能であると判定された場合（ステップＳ３においてＹＥＳ）、プログラムはステップＳ５に移行し、ユーザに視認可能ではないと判定された場合（ステップＳ３においてＮＯ）プログラムはステップＳ４に移行する。ステップＳ４では、ステップＳ１で取得した表示面１ｂの情報を参考にして、ユーザが視認可能な線分１０ａの幅を再度算出する。
【００７０】
そして、ステップＳ５では、マーク描画部が、ステップＳ１で取得した表示部の情報に基づいて、表示部に第２の位置決め用マーク１０を描画して形成する。第２の位置決め用マーク１０の具体的な描画手法についても既に説明したので、ここでは詳細な説明を省略する。
【００７１】
（第１実施形態の効果）
従って、本実施形態によれば、電子機器１の表示面１ｂの画面サイズを取得し、この表示面１ｂの画面サイズに応じて、第１の位置決め用マークであるマーク用フィルム５に対応する第２の位置決め用マーク１０を描画して表示し、この第２の位置決め用マーク１０とマーク用フィルム５（第１の位置決め用マーク）とを用いて保護フィルム２の位置決めを行っているので、表示部２３が第２の位置決め用マーク１０を表示面１ｂに表示した際に、この第２の位置決め用マーク１０を所望の大きさに表示する可能性が高くなる。これにより、電子機器１の表示面１ｂに貼付される保護フィルム２の位置決め作業をより簡易にかつ精度良く行うことが可能になる。
【００７２】
（第２実施形態）
上述の第１実施形態では、電子機器１の記憶部（内部ストレージ部２４）に格納されたアプリケーションソフト１１が第２の位置決め用マーク１０を表示面１ｂに描画して形成していた。しかしながら、第２の位置決め用マーク１０を表示面１ｂに形成する手法は上述の第１実施形態に限定されない。
【００７３】
一例として、第２の位置決め用マーク１０が形成された位置決め用画像データを予め用意して、この位置決め用画像データを表示部２３が表示することにより、第２の位置決め用マーク１０を表示面１ｂに形成する手法が挙げられる。好ましくは、第２の位置決め用マーク１０は、電子機器１の表示部のアスペクト比（例えば表示面１ｂの長辺と短辺との比）に略等しいアスペクト比を有する位置決め用画像データに形成されており、この位置決め用画像データを電子機器１の表示部を用いて表示させることで、その表示面１ｂに表示される。好ましくは、第２の位置決め用マーク１０は、電子機器１の表示部の解像度に略等しい解像度を有する位置決め用画像データに形成されている。
【００７４】
位置決め用画像データは電子機器１の表示部のアスペクト比に略等しいアスペクト比を有し、好ましくは、位置決め用画像データは電子機器１の表示部の解像度に略等しい解像度を有するので、電子機器１の画像表示用アプリケーションソフト等がこの位置決め用画像データを拡大、縮小表示等をせずにそのまま表示すれば、タッチパネルの検出動作により第２の位置決め用マーク１０が表示面１ｂで移動、拡大、縮小表示等される可能性は低い。従って、第２の位置決め用マーク１０は電子機器１の表示面１ｂに所望の大きさに表示される可能性が高くなる。
【００７５】
一例として、電子機器１のＯＳがＡｎｄｒｏｉｄであった場合、画像表示のためのイメージビュー（ImageView）クラスにおいてscaleTypeの属性がfitStart、fitCenter、fitEndのいずれの場合でも、位置決め用画像データのアスペクト比が表示面１ｂのアスペクト比に略等しければ、位置決め用画像データ全体が表示面１ｂの全体に表示される。上述のような属性設定は、画像表示用アプリケーションソフト等において常用されていると考えられるので、第２の位置決め用マーク１０は電子機器１の表示面１ｂに所望の大きさに表示される可能性が高くなる。
【００７６】
なお、位置決め用画像データの形式（フォーマット）は周知のものが好適に適用可能であり、ＢＭＰ（Microsoft Windows Bitmap Image）形式、ＪＰＥＧ（Joint Photographic Experts Group）形式、ＧＩＦ（Graphic Interchange Format）形式等、その形式に特段の限定はない。また、ＭＰＥＧ(Moving Picture Experts Group)形式等の動画データ、あるいは、複数の画像を一定時間毎に順次表示することで擬似的なアニメーション効果が得られる、例えばアニメーションＧＩＦのような静止画データの一群を用いて、例えば保護フィルム２を貼付する方法を解説した後に、第２の位置決め用マーク１０を連続的に表示する手法も好適に採用可能である。
【００７７】
このような第２の位置決め用マーク１０が形成された位置決め用画像データは、上述した第１実施形態と同様に、インターネット１２上に設置された外部サーバ１３内に格納され、電子機器１の表示面１ｂに保護フィルム２を貼付するに先立って、電子機器１がこの外部サーバ１３にアクセスし、電子機器１が移動体通信機能を有する場合は移動体通信網１４を経由して、また、電子機器１が無線ＬＡＮ（Local Area Network）機能を有する場合はルータ１５及びアクセスポイント（ＡＰ）１６を経由して、電子機器１の内部ストレージ部２４に予め格納される（図７参照）。
【００７８】
電子機器１が外部サーバ１３にアクセスする手法も周知手法が適宜採用可能であるが、一例として、外部サーバ１３における位置決め用画像データの格納場所にアクセスするための情報であるＵＲＬ（Uniform Resource Locator）を示す文字列を、保護フィルム複合体Ａを格納するパッケージに表示し、あるいは、保護フィルム２の貼付方法を説明するための取扱説明書に表示し、ユーザがＷｅｂブラウザ等を起動してこの文字列を入力することでアクセスする手法が挙げられる。あるいは、上述したパッケージや取扱説明書に、ＵＲＬを示す文字列の情報が格納されたＱＲコード（登録商標）等のバーコードを表示し、このバーコードを電子機器１のカメラで撮像してアプリケーションソフト等が読み取ることでアクセスする手法も挙げられる。このＱＲコード等のバーコードはマーク用フィルム５に一体化してもよい。バーコードをマーク用フィルム５に一体化すると、上述した製造工程においてマーク用フィルム５とバーコードを同時に形成することができて、これらマーク用フィルム５とバーコードとの対応を確実に行うことができ、また、製造ラインにおいてこのバーコードを読み取ってマーク用フィルム５との対応を容易に確認することができ、また、保護フィルム複合体Ａのパッケージを簡略化することができ、さらに、ユーザも簡易に情報入手をすることができる。さらには、上述した情報が格納されたＮＦＣ（Near Field Communication）タグ等のＩＣタグを保護フィルム複合体Ａに同梱し、このＩＣタグを電子機器１のアプリケーションソフト等が読み取ることでアクセスしてもよい。
【００７９】
また、位置決め用画像データを電子機器１の内部ストレージ部２４に格納する手法は、上述した、位置決め用画像データが格納された外部サーバ１３から取得する手法に限定されず、他の周知手法が好適に適用可能である。一例として、位置決め用画像データが格納されたメモリーカード、ＨＤＤ（Hard Disk Drive）等の外部記憶装置を電子機器１に接続し、この外部記憶装置から位置決め用画像データを取得してもよい。さらに、位置決め用画像データが印刷されたフィルム、台紙等を保護フィルム複合体Ａのパッケージに同梱し、あるいは、位置決め用画像データを保護フィルム複合体Ａのパッケージそのものに印刷し、印刷された位置決め用画像データを電子機器１のカメラで撮像してアプリケーションソフト等により適宜画像補正（台形補正、サイズ変更、ネガ／ポジ反転等）を行った上で、位置決め用画像データとして電子機器１の内部ストレージ部２４に格納してもよい。
【００８０】
そして、保護フィルム２の貼付作業の際に、電子機器１の表示部を用いてこの位置決め用画像データを表示することで、表示面１ｂに第２の位置決め用マーク１０を表示させる。位置決め用画像データの表示方法は周知手法が適宜採用可能であるが、好ましくは、保護フィルム２を貼付する際にユーザが電子機器１の表示面１ｂを（間接的にでも）タッチすることでタッチパネルがタッチ位置を検出しても、第２の位置決め用マーク１０が表示面１ｂで移動、拡大、縮小表示等されない手法が採用される。
【００８１】
上述のように、位置決め用画像データは電子機器１の表示部のアスペクト比に略等しいアスペクト比を有し、好ましくは、位置決め用画像データは電子機器１の表示部の解像度に略等しい解像度を有するので、電子機器１の画像表示用アプリケーションソフト等がこの位置決め用画像データを拡大、縮小表示等をせずにそのまま表示すれば、タッチパネルの検出動作により第２の位置決め用マーク１０が表示面１ｂで移動、拡大、縮小表示等される可能性は低い。しかしながら、上述の外部サーバ１３に、位置決め用画像データを表示面１ｂに表示している際に、タッチパネルのタッチ位置検出があってもこれを表示面１ｂでの表示に反映させない（タッチパネルからのタッチ位置検出に基づく表示動作変更指示を無視する）アプリケーションソフトを格納しておき、位置決め用画像データとともにこのアプリケーションソフトを取得して電子機器１の記憶部に格納し、保護フィルム２の貼付動作に先立ってこのアプリケーションソフトを起動して位置決め用画像データを表示してもよい。
【００８２】
（第２実施形態の効果）
従って、本実施形態によれば、電子機器１の表示面１ｂに、この電子機器１の表示部２３のアスペクト比に略等しいアスペクト比を有する位置決め用画像データを用いて第２の位置決め用マーク１０を表示し、この第２の位置決め用マーク１０とマーク用フィルム５（第１の位置決め用マーク）とを用いて保護フィルム２の位置決めを行っているので、表示部２３が第２の位置決め用マーク１０を表示面１ｂに表示した際に、この第２の位置決め用マーク１０を所望の大きさに表示する可能性が高くなる。これにより、電子機器１の表示面１ｂに貼付される保護フィルム２の位置決め作業をより簡易にかつ精度良く行うことが可能になる。
【００８３】
（変形例）
なお、本発明の保護フィルムの貼付方法等は、その細部が上述の第１実施形態に限定されず、種々の変形例が可能である。一例として、上述の第１実施形態では、タッチパネル（入力部２６）等を備える電子機器１に本発明の保護フィルムの貼付方法を適用したが、本発明の保護フィルムの貼付方法が適用される電子機器は、上述した第１実施形態における電子機器に限定されず、表示面を有する電子機器であれば周知のものが好適に適用される。例えば、タッチパネル等のタッチデバイスを備えない電子機器にも適用可能であり、この場合、上述した、保護フィルム貼付時におけるタッチパネルの無効化動作について考慮する必要がなくなる。また、移動体通信部２５、無線ＬＡＮインタフェース２７等を備えない電子機器にも本発明の保護フィルムの貼付方法が好適に適用される。
【００８４】
また、上述の第１実施形態では、表示面１ｂが平坦面である電子機器１について主に説明したが、表示面１ｂが平坦面ではない、すなわち、表示面１ｂが曲面である電子機器１にも好適に適用可能である。ここにいう表示面１ｂが曲面とは、電子機器１の表示部２３を構成する液晶パネルが湾曲している場合と、液晶パネルは平坦面であるがその上面に湾曲したカバーパネルが設けられている場合との両方を含む。
【００８５】
このような、表示面１ｂが曲面である電子機器１に保護フィルム２を貼付する場合、上述のように保護フィルム２の中央部分からまず表示面１ｂに接触させる利点がさらに高まる。すなわち、表示面１ｂが曲面である場合、視認性や操作性の観点から、表示面１ｂの中央部の曲率が小さく、周縁部の曲率が大きい構成が採用されることが多い。仮に、保護フィルム２を表示面１ｂの周縁部から貼付する手法を採用した場合、曲率が大きい箇所において位置決めを行う必要があり、位置決めの手間がかかるとともに、位置決めの精度を向上させることが困難である。一方、上述した第１実施形態のように、保護フィルム２を表示面１ｂの中央部分で位置決めしてこの中央部分から保護フィルム２を表示面１ｂに接触させれば、位置決めの手間の簡略化及び位置決めの精度向上をより図ることができる、という利点がある。
【００８６】
また、マーク用フィルム５の形状は、第１実施形態に示した、突部５ａの先端が尖った十字形に限定されず、第２の位置決め用マーク１０の形状に応じて適切な形状が選択可能である。
【００８７】
一例として、図４に示すように、マーク用フィルム５を、同様に先端が尖った突部５ａを有する菱形（斜方形）に形成してもよい。また、マーク用フィルム５により構成される第１の位置決め用マークは、上述の第１実施形態のような図形に限定されず、文字、ロゴ、模様等でもよい。文字やロゴにより第１の位置決め用マークを構成すると、保護フィルム２が適用される機種名や保護フィルム２の製造メーカーを明瞭に表示することができる。また、保護フィルム２の表裏をユーザが容易に確認でき、保護フィルム複合体Ａに通常設けられている表裏確認用ガイドシールを省略できるという利点もある。さらに、上述した第２の位置決め用マーク１０が表示された位置決め用画像データを取得するためのＵＲＬ等を文字列で表示したものを第１の位置決め用マークとしてもよい。
【００８８】
さらに、マーク用フィルム５及び第２の位置決め用マーク１０を組み合わせると特定の図形、画像、文字、ロゴ等を構成してもよい。このようなマーク用フィルム５及び第２の位置決め用マーク１０の一例として、図１０（ａ）、（ｂ）に示すように、マーク用フィルム５及び第２の位置決め用マーク１０をネガとポジとの関係に形成するような例が挙げられる。図１０に示す例では、所定の文字列（図示例では「ＮＧ」）をポジ形式で表示した形状にマーク用フィルム５を形成し（図１０（ｂ）参照）、一方、マーク用フィルム５が表示する文字列と同じ文字列をネガ形式で表示した形状に第２の位置決め用マーク１０を形成している（図１０（ａ）参照）。なお、図１０では、第２の位置決め用マーク１０のうち黒色で表示すべきところをハッチングにより示している。
【００８９】
これらマーク用フィルム５及び第２の位置決め用マーク１０を用いて、保護フィルム２と表示面１ｂとの位置決めが精度良く行われた場合、図１０（ｃ）に示すように文字列が消え、一方、図１０（ｄ）に示すように、保護フィルム２と表示面１ｂとの位置決めが精度良く行えない場合は、文字列が表示されたままになるので、この文字列が消えるように保護フィルム２の位置決めを行えば、保護フィルム２と表示面１ｂとの位置決めが精度良く行えたことをユーザが明確に知ることができる。
【００９０】
なお、図１０に示すようなネガ／ポジ形式でマーク用フィルム５及び第２の位置決め用マーク１０を構成した場合、マーク用フィルム５をネガ形式またはポジ形式のいずれで形成してもよいが、上述した第１実施形態のように、保護フィルム複合体Ａをハーフカット技術により製造する場合、ハーフカット工程後に剥がすべきフィルムＦ４が周辺部にあれば機械作業等により容易に剥がせるものの、剥がすべきフィルムＦ４が中央部にあると手作業により剥がす必要があるので、ハーフカット技術を用いて保護フィルム複合体Ａを製造する場合は、マーク用フィルム５をポジ形式で構成することが好ましい。
【００９１】
あるいは、マーク用フィルム５及び第２の位置決め用マーク１０を同一形状の白黒のチェッカーボード模様（市松模様）にし、保護フィルム２と表示面１ｂとの位置決めが精度良く行われた場合、これらマーク用フィルム５及び第２の位置決め用マーク１０の模様が消えて全面黒く表示されるようにしてもよい。
【００９２】
あるいは、図１１（ａ）、（ｂ）に示すように、マーク用フィルム５及び第２の位置決め用マーク１０により一つの図形等を形成してもよい。図１１に示す例では、マーク用フィルム５を、２つの線分５ｂを中央で交差して全体として十字形に形成し（図１１（ｂ）参照）、一方、第２の位置決め用マーク１０を、この線分５ｂを外方に延ばした位置に設けた４つの線分１０ｂにより第２の位置決め用マーク１０を構成している（図１１（ａ）参照）。
【００９３】
これらマーク用フィルム５及び第２の位置決め用マーク１０を用いて、保護フィルム２と表示面１ｂとの位置決めが精度良く行われた場合、図１１（ｃ）に示すように十字形の図形が一体に形成され、一方、図１１（ｄ）に示すように、保護フィルム２と表示面１ｂとの位置決めが精度良く行えない場合は、マーク用フィルム５により構成される第１の位置決め用マークと第２の位置決め用マーク１０とが別々の図形として表示されるので、十字形の図形が一体に形成されるように保護フィルム２の位置決めを行えば、保護フィルム２と表示面１ｂとの位置決めが精度良く行えたことをユーザが明確に知ることができる。
【符号の説明】
【００９４】
Ａ    保護フィルム複合体
１    電子機器
１ａ    本体
１ｂ    表示面
２    保護フィルム
３    剥離フィルム
４    カバーフィルム
５    マーク用フィルム
５ａ    突部
５ｂ、１０ａ、１０ｂ  線分
６    第１の接着層
７    第２の接着層
８    第３の接着層
１０    第２の位置決め用マーク
１１    アプリケーションソフト
２０    ＣＰＵ
２３    表示部
２４    内部ストレージ部
２６    入力部
【図１】
2015184661.tif 000003
【図２】
2015184661.tif 000004
【図３】
2015184661.tif 000005
【図４】
2015184661.tif 000006
【図５】
2015184661.tif 000007
【図６】
2015184661.tif 000008
【図７】
2015184661.tif 000009
【図８】
2015184661.tif 000010
【図９】
2015184661.tif 000011
【図１０】
2015184661.tif 000012
【図１１】
2015184661.tif 000013
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
表示面を有する電子機器の前記表示面に貼付される保護フィルムの貼付方法において、
前記表示面のサイズを取得し、この表示面のサイズに応じて、第２の位置決め用マークを前記電子機器の表示面に描画して表示し、
前記保護フィルムの、前記表示面に貼付される面と反対側の面にはカバーフィルムが設けられ、このカバーフィルムには、前記保護フィルムが前記表示面に適切に位置決めされた状態で、前記表示面に表示される第２の位置決め用マークと重複するような位置に第１の位置決め用マークが形成されており、
これら第１及び第２の位置決め用マークを用いて前記保護フィルムの前記表示面上の位置決めを行った状態で、この保護フィルムを前記表示面上に貼付する
ことを特徴とする保護フィルムの貼付方法。
【請求項２】
表示面を有する電子機器の前記表示面に貼付される保護フィルムの位置決めシステムであって、
前記電子機器の表示面には、この表示面のサイズに応じた第２の位置決め用マークが描画されて表示され、
前記保護フィルムの、前記表示面に貼付される面と反対側の面に設けられたカバーフィルムには、前記保護フィルムが前記表示面に適切に位置決めされた状態で、前記表示面に表示される第２の位置決め用マークと重複するような位置に第１の位置決め用マークが形成されている
ことを特徴とする保護フィルムの位置決めシステム。
【請求項３】
前記第２の位置決め用マークは線分を備え、この線分は、前記表示面の長辺または短辺の長さの略中央に描画されていることを特徴とする請求項２記載の保護フィルムの位置決めシステム。
【請求項４】
前記第１の位置決め用マークは、前記カバーフィルムの前記保護フィルムに貼付される面と反対側の面に設けられたマーク用フィルムを所定形状に形成して構成される
ことを特徴とする請求項２または３のいずれかに記載の保護フィルムの位置決めシステム。
【請求項５】
前記マーク用フィルムは前記保護フィルム及び前記カバーフィルムの透明度より低い透明度を有する材質からなることを特徴とする請求項４記載の保護フィルムの位置決めシステム。
【請求項６】
前記第２の位置決め用マークは複数の線分を備え、
前記第１の位置決め用マークは、前記線分にその頂点が重なるように形成された複数の突部を備える
ことを特徴とする請求項２〜５のいずれかに記載の保護フィルムの位置決めシステム。
【請求項７】
前記第１の位置決め用マークは、所定の図形の一部を構成するとともに、前記第２の位置決め用マークは、前記図形の残りの部分を構成する
ことを特徴とする請求項２〜５のいずれかに記載の保護フィルムの位置決めシステム。
【請求項８】
表示面に画像が表示される電子機器の前記表示面に貼付される保護フィルムの貼付方法において、
第２の位置決め用マークが形成された、前記表示面のアスペクト比に略等しいアスペクト比を有する位置決め用画像を前記電子機器の表示面に表示し、
前記保護フィルムの、前記表示面に貼付される面と反対側の面にはカバーフィルムが設けられ、このカバーフィルムには、前記保護フィルムが前記表示面に適切に位置決めされた状態で、前記表示面に表示される第２の位置決め用マークと重複するような位置に第１の位置決め用マークが形成されており、
これら第１及び第２の位置決め用マークを用いて前記保護フィルムの前記表示面上の位置決めを行った状態で、この保護フィルムを前記表示面上に貼付する
ことを特徴とする保護フィルムの貼付方法。
【請求項９】
表示面に画像が表示される電子機器の前記表示面に貼付される保護フィルムの位置決めシステムであって、
第２の位置決め用マークが形成された、前記表示面のアスペクト比に略等しいアスペクト比を有する位置決め用画像が前記電子機器の表示面に表示され、
前記保護フィルムの、前記表示面に貼付される面と反対側の面に設けられたカバーフィルムには、前記保護フィルムが前記表示面に適切に位置決めされた状態で、前記表示面に表示される第２の位置決め用マークと重複するような位置に第１の位置決め用マークが形成されている
ことを特徴とする保護フィルムの位置決めシステム。
【請求項１０】
前記位置決め用画像は、前記表示面の解像度に略等しい解像度を有することを特徴とする請求項９記載の保護フィルムの位置決めシステム。
【請求項１１】
電子機器の表示面に貼付される保護フィルムと、
この保護フィルムの、前記表示面に貼付される面と反対側の面に設けられたカバーフィルムと、
前記カバーフィルムの前記保護フィルムに貼付される面と反対側の面に設けられ、前記保護フィルムが前記表示面に適切に位置決めされた状態で、前記表示面に表示される第２の位置決め用マークと重複するような位置に形成された第１の位置決め用マークと
を備えることを特徴とする保護フィルム複合体。
【請求項１２】
前記第１の位置決め用マークは、前記カバーフィルムの前記保護フィルムに貼付される面と反対側の面に設けられたマーク用フィルムを所定形状に形成して構成され、前記マーク用フィルムは前記保護フィルム及び前記カバーフィルムの透明度より低い透明度を有する材質からなることを特徴とする請求項１１記載の保護フィルム複合体。
【請求項１３】
電子機器の表示面に貼付される保護フィルムの、前記表示面に貼付される面と反対側の面にカバーフィルムを配置するとともに、
前記カバーフィルムの前記保護フィルムに貼付される面と反対側の面にマーク用フィルムを配置し、
前記マーク用フィルムを第１の位置決め用マークの形状に打ち抜くとともに、前記保護フィルム及び前記カバーフィルムを所定の形状に打ち抜く
ことを特徴とする請求項１１または１２のいずれかに記載の保護フィルム複合体に用いられる保護フィルム複合体の製造方法。